(57)【要約】【課題】リモコンから送出する制御信号により周囲の明るさに応じた映像調整を行うようにすることで、映像表示装置の構造を簡略化し、汎用性の高いリモートコントロール装置を提供する。【解決手段】リモコン装置には明るさセンサが備えられ、まず明るさセンサにより周囲の明るさを測定し（Ｓ１）。明るさが変化したか否かを判断する（Ｓ２）。ここでは前回の明るさ測定時の明るさセンサからの出力値と今回の出力値との比較から変化があったか否かを判定する。明るさの変化があった場合、映像調整を行う（Ｓ３）。映像調整は、明るさセンサの出力値に応じて映像調整値を生成し、リモコン装置から制御信号として送信する処理である。制御信号を受けた映像表示装置では、その制御信号に応じた映像調整を行う。そして、映像調整を行った後、明るさ測定と映像調整処理を一定時間休止し（Ｓ４）、Ｓ１に戻って明るさ測定を行う。【選択図】図２
2011109421.tif 000002
【特許請求の範囲】
【請求項１】
映像表示装置を遠隔から操作するためのリモートコントロール装置において、周囲の明るさを検出する明るさセンサと、該明るさセンサから出力された明るさの検出結果に基づいて、前記映像表示装置で表示する映像を調整するための制御信号を生成する制御部と、該制御部が生成した制御信号を送信する制御信号送信部とを有することを特徴とするリモートコントロール装置。
【請求項２】
請求項１に記載のリモートコントロール装置において、前記明るさセンサは、前記周囲の明るさの検出を所定の時間間隔で実行し、前記制御部は、連続した２回の明るさの検出結果を比較し、所定の閾値より大きい変化があった場合には、変化後の明るさの検出結果に基づいて、前記制御信号を生成することを特徴とするリモートコントロール装置。
【請求項３】
請求項１に記載のリモートコントロール装置において、前記映像の調整を行うための専用の調整ボタンを備え、前記制御部は、前記調整ボタンが押されたときに、前記明るさセンサによる明るさ検出を行う制御を行い、前記明るさセンサから出力された明るさの検出結果に基づいて前記映像を調整するための前記制御信号を生成して前記制御信号送信部から送信させることを特徴とするリモートコントロール装置。
【請求項４】
請求項１に記載のリモートコントロール装置において、前記明るさの検出結果に基づく映像の調整を目的としない各種の操作が割り当てられた複数の操作ボタンを有し、
前記制御手段は、前記操作ボタンのいずれかが押されたときに、該操作ボタンに割り当てられた操作を実行させるための制御信号を生成して前記制御信号送信部から送信させるとともに、
前記明るさセンサを制御して周囲の明るさを検出し、該明るさセンサから出力された明るさの検出結果に基づいて前記映像を調整するための制御信号を生成して前記制御信号送信部から送信させることを特徴とするリモートコントロール装置。
【請求項５】
請求項１〜４のいずれか１に記載のリモートコントロール装置において、前記映像を調整するための制御信号は、前記リモコン装置による被操作対象機器において映像を調整するときに使用する設定値を含むことを特徴とするリモートコントロール装置。
【発明の詳細な説明】
【技術分野】
【０００１】
本発明は、リモートコントロール装置、より詳細には、明るさセンサによる明るさの検出結果に基づいてコントール対象機器における表示映像を調整するリモートコントロール装置に関する。
【背景技術】
【０００２】
テレビなどの映像表示装置において、装置周囲の明るさを検出するための明るさセンサを備え、その明るさセンサの検出結果に応じて画面に表示した映像を調整するものが知られている。例えば、非特許文献１には、明るさセンサを使用して周囲の明るさに合せた画面の明るさ調整を行うようにしたテレビが開示されている。
【０００３】
図８は、明るさセンサを備えた従来の液晶テレビの要部概略構成例を示す図である。液晶テレビ１０は、映像音声受信出力部１と、テレビ制御マイコン２と、明るさセンサ３とを備えている。
映像音声受信出力部１は、液晶テレビでデジタル放送信号を受信し、復調、デコードを行って、映像信号に対して映像信号処理を行った後、液晶パネル（ＬＣＤ）に表示させるとともに、音声信号に対して音声信号処理を行ってスピーカから出力させる部分であって、テレビ制御マイコン２は、映像音声受信出力部１の全体の動作制御を行うものである。
【０００４】
明るさセンサ３は、液晶テレビ１０の周囲の明るさ（周囲の照度）を検出するための明るさ検出手段であり、例えばフォトダイオードが適用される。明るさセンサ３では、検出した周囲光に応じた直流電圧信号を生成し、テレビ制御マイコン２に対して出力する。テレビ制御マイコン２は、周囲光に応じた直流電圧信号に応じて、映像音声受信出力部１を制御し、液晶テレビの表示映像の状態を制御する。この場合、例えば、検出した周囲光に応じて、液晶テレビのバックライト光源の発光輝度制御に使用する輝度制御テーブルを選択する制御信号を出力したり、また輝度制御テーブルの輝度制御値を調整するための輝度調整係数を出力したりすることで、表示画面の画面輝度を変化させる。また、周囲光に応じて映像信号の輝度レベルを伸張したり圧縮したりすることで、画面輝度を変化させる技術も知られている。
【０００５】
図９は、明るさセンサの検出結果に応じた従来の表示画面制御例を説明する図で、テレビ制御マイコン２に対する明るさセンサ３からの入力値（明るさ入力値）と、表示画面の明るさを調整する制御値（画面明るさ制御値）との関係を示すものである。この例では、液晶テレビ１０のテレビ制御マイコン２に入力する明るさセンサ３からの入力値が高くなるに従って、つまり周囲の明るさが明るくなるに従って、段階的に表示画面の明るさが明るくなるように制御される。
このように、液晶テレビ１０の周囲が暗いときに表示画面を暗くすることで省エネを図り、周囲が明くるなるに従って視認特性を維持するために表示画面を明るくすることが行われる。また、表示映像のジャンルに応じて表示画面の明るさを変化させることで省エネとともにコンテンツ内容に応じた最適な映像表現を可能としたりする制御方法なども知られている。
【０００６】
一方、液晶テレビなどの家電機器では、ユーザが遠隔からその機器を操作することができるようにリモートコントロール装置（以下、リモコン装置ともいう）が付属していることが一般的である。リモコン装置を用いた従来の制御技術として、例えば、特許文献１には、音響機器や照明機器を制御する技術として、ユーザが位置を移動してもテレビ受像機の音量レベルや照明機器の照度レベルが常に適正なレベルに保たれるようにしたリモコン装置が開示されている。
【０００７】
このリモコン装置は、基準となる音量レベルデータを記憶しておき、テレビ受像機から受信される音量レベルを自身の音量センサで検出し、その検出音量レベルと記憶してある基準音量レベルとを比較して、テレビ受像機の音量をコントロールする。また、同様にリモコン装置は、基準となる照度レベルを記憶しておき、照明機器の照度レベルを検出して、その検出照度レベルと記憶してある基準照度レベルとを比較し、照明機器の照度をコントロールするようにしている。
【先行技術文献】
【特許文献】
【０００８】
【特許文献１】特開平７−２０３５５８号公報
【非特許文献】
【０００９】
【非特許文献１】http://www.sony.jp/bravia/shoene/index02.html
【発明の概要】
【発明が解決しようとする課題】
【００１０】
上記のように、液晶テレビなどの映像表示装置に明るさセンサを備え、周囲の明るさに応じて液晶テレビの表示画面の表示状態を変化させ、これにより環境や映像シーンに応じた最適な映像表示や省エネを実現する技術が知られている。
しかしながら、このような従来の機能を実現する場合には、映像表示装置に明るさセンサを設けることが必要となり、さらに明るさセンサの検出結果に応じて表示映像の状態を制御する手段が必要となり、明るさセンサを備えない従来の映像表示装置に比してその構成が複雑になり、コストアップとなっていた。また、明るさセンサを備えない従来の映像表示装置においては、明るさセンサを用いて行われるような表示状態の制御をユーザが手動で行う必要が生じ、煩雑である。
【００１１】
これに対して、例えば特許文献１では、リモコン装置を用いてテレビの音量や照明器具の照度をユーザの環境に応じて制御する技術を開示しているが、このリモコン装置は、テレビの音量調整または照明器具の照度調整を行うものであって、テレビの映像を調整するものではない。
【００１２】
本発明は、上述のごとき実情に鑑みてなされたもので、テレビなどの映像表示装置に明るさセンサと、明るさセンサの検出結果に応じた映像調整機能を備えることなく、リモコンから送出する制御信号により周囲の明るさに応じた映像調整を行うようにすることで、映像表示装置の構造を簡略化し、汎用性の高いリモートコントロール装置を提供することを目的とする。
【課題を解決するための手段】
【００１３】
上記課題を解決するために、本発明の第１の技術手段は、映像表示装置を遠隔から操作するためのリモートコントロール装置において、周囲の明るさを検出する明るさセンサと、該明るさセンサから出力された明るさの検出結果に基づいて、前記映像表示装置で表示する映像を調整するための制御信号を生成する制御部と、該制御部が生成した制御信号を送信する制御信号送信部とを有することを特徴としたものである。
【００１４】
第２の技術手段は、第１の技術手段において、前記明るさセンサは、前記周囲の明るさの検出を所定の時間間隔で実行し、前記制御部は、連続した２回の明るさの検出結果を比較し、所定の閾値より大きい変化があった場合には、変化後の明るさの検出結果に基づいて、前記制御信号を生成することを特徴としたものである。
【００１５】
第３の技術手段は、第１の技術手段において、前記映像の調整を行うための専用の調整ボタンを備え、前記制御部は、前記調整ボタンが押されたときに、前記明るさセンサによる明るさ検出を行う制御を行い、前記明るさセンサから出力された明るさの検出結果に基づいて前記映像を調整するための前記制御信号を生成して前記制御信号送信部から送信させることを特徴としたものである。
【００１６】
第４の技術手段は、第１の技術手段において、前記明るさの検出結果に基づく映像の調整を目的としない各種の操作が割り当てられた複数の操作ボタンを有し、前記制御手段は、前記操作ボタンのいずれかが押されたときに、該操作ボタンに割り当てられた操作を実行させるための制御信号を生成して前記制御信号送信部から送信させるとともに、前記明るさセンサを制御して周囲の明るさを検出し、該明るさセンサから出力された明るさの検出結果に基づいて前記映像を調整するための制御信号を生成して前記制御信号送信部から送信させることを特徴としたものである。
【００１７】
第５の技術手段は、第１〜第４のいずれか１の技術手段において、前記映像を調整するための制御信号は、前記リモコン装置による被操作対象機器において映像を調整するときに使用する設定値を含むことを特徴としたものである。
【発明の効果】
【００１８】
本発明によれば、テレビなどの映像表示装置に明るさセンサと、明るさセンサの検出結果に応じた映像調整機能を備えることなく、リモコンから送出する制御信号により周囲の明るさに応じた映像調整を行うようにすることで、映像表示装置の構造を簡略化し、汎用性の高いリモコン装置を提供することができる。
【図面の簡単な説明】
【００１９】
【図１】本発明の第１の実施形態に係るリモコン装置と、制御対象となる液晶テレビの要部構成を説明するための図である。
【図２】本発明の第１の実施形態に係るリモコン装置の処理例を説明するためのフローチャートである。
【図３】明るさセンサの検出結果に応じた映像調整例を説明する図である。
【図４】本発明の第２の実施形態に係るリモコン装置と、制御対象となる液晶テレビの要部構成を説明するための図である。
【図５】本発明に係るリモコン装置の第２の実施形態の処理例を説明するためのフローチャートである。
【図６】本発明の第３の実施形態に係るリモコン装置と、制御対象となる液晶テレビの要部構成を説明するための図である。
【図７】本発明に係るリモコン装置の第３の実施形態の処理例を説明するためのフローチャートである。
【図８】明るさセンサを備えた従来の液晶テレビの要部概略構成例を示す図である。
【図９】明るさセンサの検出結果に応じた従来の表示画面制御例を説明する図である。
【発明を実施するための形態】
【００２０】
以下に本発明に係るリモコン装置の実施形態を添付された図面を参照しながら具体的に説明する。なお、実施形態を説明するための全図において、同様の機能を有する部分には同じ符号を付け、その繰り返しの説明は省略するものとする。
【００２１】
図１は、本発明の第１の実施形態に係るリモコン装置と、制御対象となる液晶テレビの要部構成を説明するための図である。液晶テレビ１０は、映像音声受信出力部１１と、テレビ制御マイコン１２と、信号受信部１３とを備えている。
映像音声受信出力部１１は、デジタル放送信号を受信し、復調、デコードを行い、得られた映像信号に対して映像信号処理等を行った後、液晶パネル（ＬＣＤ）に表示させるとともに、復調、デコードにより得られた音声信号に対して音声信号処理を行ってスピーカから出力させる部分である。テレビ制御マイコン１２は、映像音声受信出力部１１の動作制御を行う。
【００２２】
信号受信部１３は、リモコン装置２０から送信される制御信号を受信する部分である。リモコン装置２０から制御信号を送受信する方式としては、赤外線（ＩＲ）方式を用いることができる。この場合には、信号受信部１３は、赤外線を受光するＩＲ受光部として構成される。また、制御信号を送受信する方式としてＲＦ方式を用いたものであってもよく、この場合には信号受信部１３はＲＦ受信部として構成される。テレビ制御マイコン１２は、信号受信部１３で受信した制御信号を解釈して、その制御信号に応じた制御を行う。
【００２３】
リモコン装置２０は、液晶テレビ１０を遠隔から操作するためのもので、明るさセンサ２１、リモコン制御部２２、信号送信部２３を備えている。信号送信部２３は、本発明の制御信号送信部に相当するものである。
明るさセンサ２１は、リモコン装置２０の周囲の明るさ（周囲の照度）を検出するための明るさ検出手段であり、例えばフォトダイオードが適用される。明るさセンサ２１では、明るさの検出結果として、周囲光に応じた直流電圧信号を生成し、リモコン制御部２２に対して出力する。
【００２４】
リモコン制御部２２は、周囲光に応じた直流電圧信号に応じて、表示画面の調整を行うための映像調整値を生成し、制御信号として信号送信部２３から送信させる。信号送信部２３は、赤外線方式、またはＲＦ方式等に応じて赤外線信号またはＲＦ信号を送信するように構成される。
【００２５】
上記の制御信号は、明るさセンサ２１の検出結果に応じて、液晶テレビで表示する映像の表示状態を調整するためのもので、映像信号自体を調整するものの他、バックライトの発光輝度を制御することで表示映像の画面輝度を制御するもののも含む。例えば、映像信号を調整する場合には、周囲の明るさに応じて、映像信号の輝度レベルを伸張／圧縮することで画面の明るさを変化させる。また、バックライトを制御する場合には、バックライトの発光輝度制御に使用する輝度制御テーブルを選択させたり、また輝度制御テーブルの輝度制御値を調整させることで、バックライトの発光輝度を変化させ、これにより画面輝度を変化させる。
【００２６】
また、制御信号としては、上記のような画面の明るさを変化させる制御にのみならず、画質を変化させるものであってもよい。例えば、映像のシャープネス、黒レベル、色の濃さ、色合いなどを調整するものであってもよい。さらには、音声の高音レベルや低音レベル、左右の音声バランスなどの音声出力を調整するものを用いたものであってもよい。そして制御信号としては、上記の調整項目のうち複数を組み合わせたものであってもよい。
【００２７】
上記のような構成の本発明に係る第１の実施形態では、リモコン装置２０のリモコン制御部２２は、明るさセンサ２１からの入力値（明るさの検出結果）に応じて所定の映像調整値を算出し、その映像調整値を制御信号として信号送信部２３から送信させる。明るさに応じた映像調整値は予め定めておき、リモコン制御部２２内の図示しないＲＯＭ等に記憶保持させておく。
【００２８】
このとき、映像を調整するための制御信号は、液晶テレビにて映像を調整するときに使用する設定値そのものを含ませておくことができる。この場合、例えば、画面輝度を１０％上げるなどの相対的な制御指示ではなく、画面輝度を設定可能な最高輝度の８０％レベルにするときの設定値を制御信号に含ませるようにする。これにより、リモコン装置２０から送信された制御信号を受信した液晶テレビ１０では、その制御信号に含まれる設定値を直接使用して、映像調整を行うことができるようになる。このようにリモコン装置２０が液晶テレビ１０の映像調整値を保持し、映像調整するときにその映像調整値を制御信号として送信することによって、１回の送信のみにより目的とする映像調整のための調整値を送ることができる。
【００２９】
液晶テレビ１０では、リモコン装置２０から送信された制御信号を信号受信部１３で受信し、受信した制御信号に従ってテレビ制御マイコン１２が映像信号の調整を行う。例えば、リモコン装置周囲の明るさに応じて映像信号の輝度値やバックライトを調整する。また映像調整値として、シャープネスなどの画質に関する項目が設定されていれば、その設定値に従って画質設定を行う。
【００３０】
図２は、本発明の第１の実施形態に係るリモコン装置の処理例を説明するためのフローチャートである。ここでは図１の構成を参照しながら処理を説明する。リモコン装置２０では、まず明るさセンサ２１により周囲の明るさ測定を行う（ステップＳ１）。そして、明るさセンサ２１による検出結果を入力したリモコン制御部２２では、明るさが変化したか否かを判断する（ステップＳ２）。この判断は、前回の明るさ測定時の明るさセンサからの出力値と、今回の出力値とを比較し、所定の閾値以上の差があれば明るさが変化したものと判定する。
【００３１】
ステップＳ２で、リモコン制御部２２が明るさの変化があったと判断した場合、映像調整を行う（ステップＳ３）。映像調整は、明るさセンサ２１の出力値に応じてリモコン制御部２２が映像調整値を生成し、信号送信部２３から制御信号として送信する処理である。
そして、映像調整を行った後、明るさ測定と映像調整処理を一定時間休止し（ステップＳ４）、再度ステップＳ１に戻って明るさ測定を行う。
また、ステップＳ２でリモコン制御部２２が明るさ変化がないものと判断した場合には、映像処理を行うことなくステップＳ４に進み、明るさ測定と映像調整処理を一定時間休止した後再度ステップＳ１に戻って明るさ測定を行う。
【００３２】
図３は、明るさセンサの検出結果に応じた映像調整例を説明する図で、リモコン制御部２２に対する明るさセンサからの入力値と、表示映像を調整するための映像調整制御値との関係を示すものである。この例では、リモコン装置２０のリモコン制御部２２に入力する明るさセンサからの入力値が高くなるに従って、つまりリモコン装置２０の周囲の明るさが明るくなるに従って、段階的に映像調整値が高くなるように制御される。映像調整値が、液晶テレビ１０の表示画面の明るさを制御するものであれば、リモコン装置２０の周囲の明るさが明るくなるに従って、液晶テレビ１０の表示画面が段階的に明るくなっていく。
上記のように、映像調整値としては、液晶テレビ１０の表示画面の明るさ調整を行う調整値の他、映像シャープネスなどの画質を調整する調整値を適用してもよく、あるいは複数の対象項目の調整値を組み合わせたものであってもよい。
【００３３】
このように、本実施形態では、リモコン装置にて周囲の明るさを検出し、映像表示装置の映像調整を行うことにより、明るさセンサを搭載していない映像表示装置であっても周囲の明るさ応じた映像調整を行うことが可能となる。そしてこれにより、いろいろな明るさの部屋に細かく対応して最適な映像表現を可能とすることができる。また、映像表示装置側では、明るさセンサを搭載する必要がなく、また、明るさセンサによる映像調整の機能を持つ必要がないため、映像表示装置のコストアップの要因を削減することができる。
【００３４】
（実施形態２）
図４は、本発明の第２の実施形態に係るリモコン装置と、制御対象となる液晶テレビの要部構成を説明するための図である。液晶テレビ１０は、映像音声受信出力部１１と、テレビ制御マイコン１２と、信号受信部１３とを備えるもので、第１の実施形態で説明した構成と同様のものである。
リモコン装置２０は、明るさセンサ２１、リモコン制御部２２、及び信号送信部２３の第１の実施形態の構成に加えて、調整ボタン２４を備えている。調整ボタン２４は、明るさの検出結果に基づいて映像調整を行うための専用のボタンであり、調整ボタン２４がユーザにより操作されると、リモコン制御部２２がその操作を検知して、明るさセンサ２１による明るさ測定を開始する。
【００３５】
本発明に係る第２の実施形態では、リモコン装置２０の調整ボタン２４がユーザによって押されたときに、リモコン制御部２２の制御に従って明るさセンサ２１が明るさ測定を行う。そしてリモコン制御部２２は、その測定結果に応じて映像調整値を生成し、制御信号として送信させる。このリモコン信号を受けた液晶テレビ１０では、信号受信部１３で受信した制御信号を解釈して、制御信号の映像調整値に応じた制御を行う。
【００３６】
図５は、本発明に係るリモコン装置の第２の実施形態の処理例を説明するためのフローチャートである。ここでは図４の構成を参照しながら処理を説明する。
まずリモコン装置２０のリモコン制御部２２は、ユーザにより調整ボタン２４が押されたかどうかを判断する（ステップＳ１１）。調整ボタン２４が押されなければ明るさ測定を開始することなくそのまま待機する。また、調整ボタン２４が押された場合には、リモコン制御部２２は明るさセンサ２１を制御して、周囲の明るさ測定を行う（ステップＳ１２）。
【００３７】
そして、明るさセンサ２１による検出結果を入力したリモコン制御部２２では、明るさが変化したか否かを判断する（ステップＳ１３）。この判断は、前回の明るさ測定時の明るさセンサからの出力値と、今回の出力値とを比較し、所定の閾値以上の差があれば明るさが変化したものと判定する。リモコン制御部２２は、明るさの変化があったと判断した場合、映像調整を行う（ステップＳ１４）。映像調整は、明るさセンサ２１の出力値に応じてリモコン制御部２２が映像調整値を生成し、信号送信部２３から制御信号として送信する処理である。
【００３８】
映像調整を行った後は、ステップＳ１１に戻って調整ボタン２４が押されるまで待機する。
また、ステップＳ１３でリモコン制御部２２が明るさ変化がないものと判断した場合には、映像処理を行うことなくステップＳ１１に戻って調整ボタン２４が押されるまで待機する。
【００３９】
なお、上記の処理において、ステップＳ１３で前回の測定値との比較により、明るさが変化したと判断したときに映像調整を行うようにしているが、他の処理例では、ステップＳ１３を省略し、調整ボタン２４が押されたときに明るさ測定を行って、前回の測定値と比較することなく、常に映像調整を行うようにしてもよい。つまり、この場合には、調整ボタン２４が押されると、常にそのときの周囲の明るさに応じた映像調整を行うことができる。
【００４０】
第２の実施形態においても、第１の実施形態と同様にリモコン装置２０のリモコン制御部２２に入力する明るさセンサからの入力値が高くなるに従って、段階的に映像調整値が高くなるように制御することができる。映像調整値が液晶テレビ１０の表示画面の明るさを制御するものであれば、リモコン装置２０の周囲の明るさが明るくなるに従って、液晶テレビ１０の表示画面が段階的に明るくなっていく。また、映像調整値としては、液晶テレビ１０の表示画面の明るさ調整を行う調整値の他、映像シャープネスなどの画質を調整する調整値を適用してもよく、あるいは複数の対象項目の調整値を組み合わせたものであってもよい。
【００４１】
本実施形態では、専用の調整ボタン２４が押されたときに明るさセンサの検出結果に応じて映像調整を行うため、ユーザの意思によるタイミングでの映像調整が可能となる。また、ユーザが調整ボタン２４を押したときにのみ、明るさ検出と映像調整が行われるので、リモコン装置の消費電力を最小に抑えることが可能となる。
【００４２】
（実施形態３）
図６は、本発明の第３の実施形態に係るリモコン装置と、制御対象となる液晶テレビの要部構成を説明するための図である。液晶テレビ１０は、映像音声受信出力部１１と、テレビ制御マイコン１２と、信号受信部１３とを備えるもので、第１の実施形態で説明した構成と同様のものである。
【００４３】
リモコン装置２０は、明るさセンサ２１、リモコン制御部２２、及び信号送信部２３に加えて、操作ボタン２５を備えている。操作ボタン２５は、明るさの検出結果に基づく映像調整を目的としない各種操作が割り当てられたボタンであって、従来のリモコン装置に備えられていた操作ボタンに相当するものである。例えば、操作ボタン２５は、液晶テレビ１０の電源のＯＮ・ＯＦＦや、チャンネルの変更、音量の変更、録画／再生の開始等の操作を行うために設けられた複数の操作ボタンである。
【００４４】
本発明に係る第３の実施形態では、上記第２の実施形態のように明るさ測定・映像調整処理を開始させるための専用の調整ボタンを設けることなく、リモコン装置２０の操作ボタン２５がユーザによって押されたときに、リモコン制御部２２の制御に従って明るさセンサ２１が明るさ測定を行う。そしてリモコン制御部２２は、その測定結果に応じて映像調整値を生成し、制御信号として送信させる。この制御信号を受けた液晶テレビ１０では、その制御信号の映像調整値に応じた制御を行う。
【００４５】
図７は、本発明に係るリモコン装置の第３の実施形態の処理例を説明するためのフローチャートである。ここでは図６の構成を参照しながら処理を説明する。
まずリモコン装置２０のリモコン制御部２２は、ユーザにより操作ボタン２５が押されたかどうかを判断する（ステップＳ２１）。操作ボタン２５が押されなければ明るさ測定を開始することなくそのまま待機する。また、操作ボタン２５が押された場合には、リモコン制御部２２は明るさセンサ２１を制御して、周囲の明るさ測定を行う（ステップＳ２２）。
【００４６】
そして、明るさセンサ２１による検出結果を入力したリモコン制御部２２では、明るさが変化したか否かを判断する（ステップＳ２３）。この判断は、前回の明るさ測定時の明るさセンサからの出力値と、今回の出力値とを比較し、所定の閾値以上の差があれば明るさが変化したものと判定する。リモコン制御部２２は、明るさの変化があったと判断した場合、映像調整を行う（ステップＳ２４）。映像調整は、明るさセンサ２１の出力値に応じてリモコン制御部２２が映像調整値を生成し、信号送信部２３から制御信号として送信する処理である。
【００４７】
映像調整を行った後は、ステップＳ２１に戻って操作ボタン２５が押されるまで待機する。
また、ステップＳ２３でリモコン制御部２２が明るさ変化がないものと判断した場合には、映像処理を行うことなくステップＳ２１に戻って操作ボタン２５が押されるまで待機する。
【００４８】
なお、上記の処理において、ステップＳ２３で前回の測定値との比較により、明るさが変化したと判断したときに映像調整を行うようにしているが、他の処理例では、ステップＳ２３を省略し、操作ボタン２５が押されたときに明るさ測定を行って、前回の測定値と比較することなく、常に映像調整を行うようにしてもよい。つまり、この場合には、操作ボタン２５が押されると、常にそのときの周囲の明るさに応じた映像調整を行うことができる。
【００４９】
第３の実施形態においても、第１の実施形態と同様にリモコン装置２０のリモコン制御部２２に入力する明るさセンサからの入力値が高くなるに従って、段階的に映像調整値が高くなるように制御することができる。映像調整値が液晶テレビ１０の表示画面の明るさを制御するものであれば、リモコン装置２０の周囲の明るさが明るくなるに従って、液晶テレビ１０の表示画面が段階的に明るくなっていく。また、映像調整値としては、液晶テレビ１０の表示画面の明るさ調整を行う調整値の他、映像シャープネスなどの画質を調整する調整値を適用してもよく、あるいは複数の対象項目の調整値を組み合わせたものであってもよい。
【００５０】
本実施形態では、ユーザがリモコン装置２０の操作ボタン２５で何らかの操作を行ったときに、同時に明るさが検出され映像調整が行われる。そしてこれにより、操作ボタン２５が押されたときにのみ映像調整が行われるので、リモコン装置２０の消費電力を最小に抑えることが可能となる。
【００５１】
以上、本発明に係るリモコン装置の実施形態として、液晶テレビを操作対象機器とするものについて説明したが、リモコン装置の操作対象機器としては、液晶テレビに限定されるものではない。例えば、プラズマや有機ＥＬ方式等のテレビジョン装置であってもよく、あるいはモニターやプロジェクタなどの映像表示機器であってもよく、さらにはＰＣなどの表示画面を備えた情報処理装置などであってもよい。
【符号の説明】
【００５２】
１…映像音声受信出力部、２…テレビ制御マイコン、３…明るさセンサ、１０…液晶テレビ、１１…映像音声受信出力部、１２…テレビ制御マイコン、１３…信号受信部、２０…リモコン装置、２１…明るさセンサ、２２…リモコン制御部、２３…信号送信部、２４…調整ボタン、２５…操作ボタン。
【図１】
2011109421.tif 000003
【図２】
2011109421.tif 000004
【図３】
2011109421.tif 000005
【図４】
2011109421.tif 000006
【図５】
2011109421.tif 000007
【図６】
2011109421.tif 000008
【図７】
2011109421.tif 000009
【図８】
2011109421.tif 000010
【図９】
2011109421.tif 000011